(57)【要約】  【課題】  遊具の下やビルの屋上等、狭い箇所でなおかつ小面積の場所でも容易な施工作業で敷設できるユニット式人工芝およびこれを用いた敷設方法を提供すること。  【解決手段】  多数の芝部材３が板状部材２の上面２ａに植設され、前記芝部材３の上部を露出した状態で前記板状部材２の上面２ａにクッション機能を有する材料８を充填してある人工芝において、前記板状部材２を載置する底板４と、前記材料が前記板状部材２の上面２ａからこぼれ落ちるのを防止するよう前記底板４の外周縁に設けられた枠体７とを備えている。  【選択図】  図２
2005146617.tif 000002
【特許請求の範囲】
【請求項１】
多数の芝部材が板状部材の上面に植設され、前記芝部材の上部を露出した状態で前記板状部材の上面にクッション機能を有する材料を充填してある人工芝において、前記板状部材を載置する底板と、前記材料が前記板状部材の上面からこぼれ落ちるのを防止するよう前記底板の外周縁に設けられた枠体とを備えたことを特徴とするユニット式人工芝。
【請求項２】
多数の芝部材が上面に植設された板状部材と、前記芝部材の上部を露出した状態で前記板状部材の上面に充填されたクッション機能を有する材料と、前記板状部材を載置する底板と、前記材料が前記板状部材の上面からこぼれ落ちるのを防止するよう前記底板の外周縁に設けられた枠体とを備えた複数のユニット式人工芝を、下地の上に並べた後前記各枠体を撤去することを特徴とするユニット式人工芝を用いた敷設方法。
【発明の詳細な説明】
【技術分野】
【０００１】
この発明は、ユニット式人工芝およびこれを用いた敷設方法に関するものである。
【背景技術】
【０００２】
従来より、シート状基板上に多数の芝部材を植設し、芝部材間にゴムチップを層状に充填し、このゴムチップ層の上に芝部材の先端が露出するよう砂を層状に設けた草丈の長い人工芝がある。この人工芝は、例えば野球場やサッカー場のような大面積の場所で使用されるものであり、これらの場所に人工芝を敷設するのに、幅が例えば３．６６ｍから４．０ｍ、長さ１０ｍから４０ｍというロール状のシート状基板を前記場所に展開して、ゴムチップ入れ、砂入れを行っている。
【特許文献１】実開平７−４５０４号公報
【発明の開示】
【発明が解決しようとする課題】
【０００３】
しかし、前記人工芝は、滑り台等の遊具の下や、ビルの屋上等、狭い箇所でなおかつ小面積の場所で用いるのには大変、不向きである。
【０００４】
また、現地で行うシート状基板の展開作業や、ゴムチップ入れ、砂入れの作業は煩わしく、しかも大型の施工機械が必要となる。
【０００５】
この発明は上述の事柄に留意してなされたもので、その目的は、遊具の下やビルの屋上等、狭い箇所でなおかつ小面積の場所でも容易な施工作業で敷設できるユニット式人工芝およびこれを用いた敷設方法を提供することである。
【課題を解決するための手段】
【０００６】
上記目的を達成するために、この発明のユニット式人工芝は、多数の芝部材が板状部材の上面に植設され、前記芝部材の上部を露出した状態で前記板状部材の上面にクッション機能を有する材料を充填してある人工芝において、前記板状部材を載置する底板と、前記材料が前記板状部材の上面からこぼれ落ちるのを防止するよう前記底板の外周縁に設けられた枠体とを備えたことを特徴とする。
【０００７】
また、この発明は別の観点から、多数の芝部材が上面に植設された板状部材と、前記芝部材の上部を露出した状態で前記板状部材の上面に充填されたクッション機能を有する材料と、前記板状部材を載置する底板と、前記材料が前記板状部材の上面からこぼれ落ちるのを防止するよう前記底板の外周縁に設けられた枠体とを備えた複数のユニット式人工芝を、下地の上に並べた後前記各枠体を撤去することを特徴とするユニット式人工芝を用いた敷設方法を提供する。
【発明の効果】
【０００８】
この発明では、多数の芝部材が板状部材の上面に植設され、前記芝部材の上部を露出した状態で前記板状部材の上面にクッション機能を有する材料を充填してある人工芝において、前記板状部材を載置する底板と、前記材料が前記板状部材の上面からこぼれ落ちるのを防止するよう前記底板の外周縁に設けられた枠体とを備えている（請求項１）。また、この発明では、多数の芝部材が上面に植設された板状部材と、前記芝部材の上部を露出した状態で前記板状部材の上面に充填されたクッション機能を有する材料と、前記板状部材を載置する底板と、前記材料が前記板状部材の上面からこぼれ落ちるのを防止するよう前記底板の外周縁に設けられた枠体とを備えた複数のユニット式人工芝を、下地の上に並べた後前記各枠体を撤去するようにしている（請求項２）。そのため、遊具の下やビルの屋上等、狭い箇所でなおかつ小面積の場所に容易な施工作業で敷設できるユニット式人工芝およびこれを用いた敷設方法を提供することができる。
【発明を実施するための最良の形態】
【０００９】
以下、この発明の実施の形態について説明する。なお、この発明はそれによって限定されるものではない。
【００１０】
図１〜図４において、１は、敷設場所となる現地の下地で、土、砕石、コンクリートなどからなっている。２は、平面視矩形形状（例えば正方形）をなすシート状の樹脂製板状部材で、多数の芝部材３が、狭い幅を持つ外周縁上面Ｍを除いて上面２ａに植設されている。芝部材３は公知の方法を用いて植設できる。この芝部材３付きの前記板状部材２は、例えば５０ｃｍ角である。なお、芝部材３の草丈Ｈは、例えば１０ｍｍ〜２００ｍｍである。前記板状部材２は、工場に予め用意されている芝部材付きの大面積の板状部材を、当該工場で前記寸法にカットすることにより多数個得ることができる。４は、前記板状部材２を載置する平面視矩形形状（例えば正方形）をなす樹脂製の底板で、平坦な底部分５と底部分５の外周縁に沿って上方向に連設した矩形（例えば正方形）の枠部分６よりなる。前記板状部材２は、板状部材２の縦方向の厚み部分である外周端側面ｍが枠部分６の対応する内周端面ｎに当接するよう枠部分６内に嵌込まれる。前記枠部分６の高さＡは前記板状部材２の縦方向の厚みａよりも数倍大きく設定されている（Ａ＞ａ）。７は、細長状の板体２３〜２６より構成される矩形（例えば正方形）の樹脂製枠体で、芝部材３付きの板状部材２の前記外周縁上面Ｍに当接する下面７ａを有するよう、かつ、枠体７内に芝部材３が位置するよう大きさが設定されている。枠部分６と枠体７は相似形をなし、枠部分６の方が大きく設定されている。また、枠体７の高さＢは前記枠部分６の高さＡよりも数倍大きく設定されている（Ｂ＞Ａ）。  
【００１１】
また、前記工場では、カットされた各板状部材２の芝部材３，３間にクッション機能を有する材料である多数の弾性粉粒状体（例えばゴムチップ）８を層状に充填し、更に、この弾性粉粒状体層の上に無機質粉粒状体（例えば砂）９を層状に充填する作業が行われ、多数のユニット式人工芝２０を製作できる。各ユニット式人工芝２０は、一つの板状部材２上に多数の芝部材３よりなる平面視矩形形状（例えば正方形）の芝部材群２１を有する。
【００１２】
更に、前記枠体７は、縦方向に形成されたスリット状の切欠き１０を三つのエッジ部分Ｅの外面に有し、この切欠き１０によってエッジ部分Ｅの内面側に形成される薄肉部分１１をヒンジとして機能させることができ、正方形の枠体７から細長い帯状体１２に、また、前記細長い帯状体１２から正方形の枠体７に形状を変更させることができるようになっている。枠体７をこのように構成したのは、工場で枠体７を、芝部材３付きの板状部材２の前記外周縁上面Ｍに当接させるにあたり、枠体７を正方形のままにして芝部材群２１の最外側の下部を囲むよりも作業性を向上できる。すなわち、枠体７を帯状体１２にし、この帯状体１２の例えば一辺部分２３で例えば芝部材群２１の一つの外側面部２１ａの下部を覆い、切欠き１０を介して一辺部分２３に隣接する両辺部分２４および２５を内側に折り曲げて芝部材群２１の二つ目の外側面部２１ｂおよび三つ目の外側面部２１ｃのそれぞれ下部を両辺部分２４および２５で覆い、最後に、帯状体１２の残りの辺部分２６を切欠き１０を介して内側に折り曲げて芝部材群２１の四つ目の外側面部２１ｄの下部を辺部分２６で覆う。芝部材３は、これを構成する細い短冊状部材が全て垂直に植設されているわけではなく、板状部材２の前記外周縁上面Ｍの直上あるいは直上を越えた外側の位置まで前記細い短冊状部材の先端が位置する場合もある。よって、帯状体１２を芝部材群２１の外側面部２１ａ〜２１ｄの下部にあてがいながら芝部材群２１を囲んでいくだけで、前記細い短冊状部材の先端が外向きに傾斜していてもこれを上向きに変更させることができる。そして、芝部材群２１の外側面部２１ａ〜２１ｄの下部を枠体７で覆った状態で、板状部材２を底板４内に嵌込んでユニット式人工芝２０が完成する。この作業は工場で行われる。芝部材群２１の外側面部２１ａ〜２１ｄの下部を枠体７で覆った状態では、枠体７の上面７ｆが無機質粉粒状体（例えば砂）９の層１９の上面よりも高くなるよう、無機質粉粒状体層１９の厚み、ならびに、弾性粉粒状体（例えばゴムチップ）８の層１８の厚みが適宜設定される。
また、生産される多数の枠体７を帯状体１２にすることで正方形形状のものに比して回収し易くできるとともに、嵩張ることはなく、省スペース化を実現できる。
【００１３】
而して、工場で製作した前記ユニット式人工芝２０を現地に輸送する。そして、芝部材群２１の外側面部２１ａ〜２１ｄの下部を覆う前記枠体７によって、無機質粉粒状体（例えば砂）９や弾性粉粒状体（例えばゴムチップ）８が輸送途中にこぼれて無くなる危険性を回避できる。
また、無機質粉粒状体（例えば砂）９や弾性粉粒状体（例えばゴムチップ）８が芝部材２１に充填されることにより、製品としてのユニット式人工芝２０を積み上げて輸送することができ、省スペース化を実現できる。この場合、底板４によって、輸送のときに無機質粉粒状体（例えば砂）９、弾性粉粒状体（例えばゴムチップ）８、芝部材２１、板状部材２および枠体７を安定させることができるとともに、枠体７を固定させることができる。
【００１４】
一方、現地での施工にあたり、各底板４を介して下地１の上に、図１（Ａ）に示すユニット式人工芝２０を隣接する枠部分６同士をあてがいながら並べる〔図１（Ｂ）〕。続いて、各枠体７を撤去し〔図１（Ｃ）〕、芝部材３付きの複数の板状部材２のみにする〔図１（Ｄ）〕。芝部材３の草丈Ｈは、例えば１０ｍｍ〜２００ｍｍであるので、枠体７を撤去すれば、無機質粉粒状体９や弾性粉粒状体８が移動することにより、ユニット式人工芝２０，２０間のジョイント部である板状部材２の前記外周縁上面Ｍ同士および枠部分６同士は隠れて、一面完成芝となる。また、底板４によって、完成芝の平坦性や、安定性を発揮できる。そして、芝部材３付きの前記板状部材２は、例えば５０ｃｍ角であるので、必要な数だけユニット式人工芝２０を遊具の下やビルの屋上等、狭い箇所でなおかつ小面積の場所に、容易な施工作業で敷設できる。
【００１５】
図５は、底板４同士を継手部材３８で接続できるようにするとともに、底板４を下地１に固定するようにしたこの発明の第２の実施形態を示す。なお、図５において、図１〜図４に示した符号と同一のものは同一または相当物である。
【００１６】
図５において、板状部材２を載置する平面視矩形形状（例えば正方形）をなす樹脂製の底板４は、平坦な底部分５と底部分５の外周縁に沿って上方向に連設した矩形の枠部分６よりなる。また、樹脂製の枠体７は、八角形で、底板４の四隅部分３０に対応する位置に他の四つの側面部３１よりも横幅の短い側面部３２を有する。
【００１７】
また、底板４は、四隅部分３０に切欠き３４を有し、この切欠き３４に対応する底部分５に一つの貫通孔３６を有するとともに、四隅部分３０の角に円周角で９０°の円周孔３７を有する。
【００１８】
３８は、継手部材で、中央に上下を貫通する釘４０用貫通孔３９を有する平板状の台部分３８ａと台部分の下面の四隅に設けた脚部３８ｂとよりなり、隣接する四つの底板４，４，４，４同士を接続する。すなわち、四つの底板４，４，４，４を隣接させると、各円周孔３７によって、貫通孔３９を通った一つの釘４０が貫通可能な丸孔４１が形成される。継手部材３８は、脚部３８ｂをそれぞれ貫通孔３６に挿入することにより位置決めされて四つの底板４，４，４，４同士を連結するとともに、ワッシャ４３を介して釘４０を下地１まで打ちつけることにより四つの底板４，４，４，４同士を下地１に固定できる。
【００１９】
図６、図７は、底板４同士を継手部材３８で接続できるようにするとともに、底板４を下地１に固定するようにしたこの発明の第３の実施形態を示す。なお、図６、図７において、図１〜図５に示した符号と同一のものは同一または相当物である。
【００２０】
図６、図７において、芝部材３付きの板状部材２を載置する平面視矩形形状（例えば正方形）をなす樹脂製の底板４は、平坦な底部分５と底部分５の外周縁に設けた枠体嵌込み用の溝５０を介して外方向に連設した矩形の枠部分６よりなる。また、樹脂製の枠体７は、多角形で、底板４の四隅部分３０に対応する位置に内側に湾曲した左右対称の半筒状部分５３，５３を有するとともに、半筒状部分５３，５３同士を連設する半直方体部分５４を有する。半直方体部分５４は、内方向に切欠き６０を有する。半筒状部分５３は、外方向に切欠き６３を有する。６１は、隣接する四つの底板４，４，４，４同士を接続する接続線材で、ドライバー等の工具にて、例えば対向する二つの半筒状部分５３，５３の切欠き６３，６３を介して底板４，４の底部分５，５をまたぐ形で底部分５，５に打ち込まれる。              
【図面の簡単な説明】
【００２１】
【図１】（Ａ）は、この発明の第１の実施形態の施工の初期のステップを示す図である。（Ｂ）は、上記実施形態の施工の中間のステップを示す図である。（Ｃ）は、上記実施形態の施工の最終ステップを示す図である。（Ｄ）は、上記実施形態における施工後の状態を示す図である。
【図２】上記実施形態を示す分解斜視図である。
【図３】上記実施形態で用いた枠体の使用状態を示す図である。
【図４】上記実施形態で用いた芝部材付きの板状部材を示す構成説明図である。
【図５】この発明の第２の実施形態を示す要部分解斜視図である。
【図６】この発明の第３の実施形態を示す要部分解斜視図である。
【図７】上記第３の実施形態における取り付け状態を示す構成説明図である。
【符号の説明】
【００２２】
２    板状部材
２ａ  上面
３    芝部材
４    底板
７    枠体
８    クッション機能を有する材料
２０  ユニット式人工芝
【図１】
2005146617.tif 000003
【図２】
2005146617.tif 000004
【図３】
2005146617.tif 000005
【図４】
2005146617.tif 000006
【図５】
2005146617.tif 000007
【図６】
2005146617.tif 000008
【図７】
2005146617.tif 000009